(57)【要約】【課題】複数のＳＨＤを備える表示装置において、温度変化や経時変化による位相関係のずれを自動的に修復して常に最適な表示画像を得ることができる液晶表示装置を提供する。【解決手段】ＤＳＤ／ＴＧ１、第１のＳＨＤ２ａ、第２のＳＨＤ２ｂ及びＬＣＤパネル３とを有し、フィードバック信号ＧＣＦＢに基づいて映像信号（Ｖｓｉｇ）のタイミング調整を行なう液晶表示装置であって、第１のＳＨＤで制御信号ＳＨＴを出力し、出力された制御信号ＳＨＴに基づいて、第１のＳＨＤ及び第２のＳＨＤで映像信号（Ｖｓｉｇ）のタイミング調整を行なう。【選択図】図１
2007279171.tif 000002
【特許請求の範囲】
【請求項１】
画素がマトリクス状に配列された表示部と、
映像信号を生成すると共に、同映像信号の出力タイミングを任意に調整可能な第１の映像信号生成手段及び第２の映像信号生成手段とを有し、
前記表示部から出力されるフィードバック信号に基づいて、前記第１の映像信号生成手段及び第２の映像信号生成手段で生成する映像信号のタイミング調整を行う表示装置であって、
前記第１の映像信号生成手段は、制御信号に基づいて映像信号を出力する第１の映像信号出力手段を備え、
前記第２の映像信号生成手段は、制御信号に基づいて映像信号を出力する第２の映像信号出力手段と、
初期状態の前記フィードバック信号と任意のタイミングの前記フィードバック信号との位相ずれ量を検出する位相ずれ検出手段と、
該位相ずれ検出手段で検出された位相ずれ量に基づいて、タイミング調整がなされた制御信号を生成する制御信号生成手段とを備えると共に、
前記制御信号生成手段と前記第１の映像信号出力手段とを接続する配線長と、前記制御信号生成手段と前記第２の映像信号出力手段とを接続する配線長とが略等しい
表示装置。
【請求項２】
前記第１の映像信号生成手段及び前記第２の映像信号生成手段は、複数の画素を単位として並列に書き込みがなされる複数の映像信号を生成する
請求項１に記載の表示装置。
【請求項３】
前記制御手段は、前記制御信号のタイミング調整を行うことによって、前記第１の映像信号生成手段及び前記第２の映像信号生成手段で生成する映像信号と、同映像信号を表示部に書き込むための書き込み信号との位相ずれ量を所定量とする
請求項１に記載の表示装置。
【請求項４】
初期状態の前記フィードバック信号の情報は第２の映像信号生成手段の外部から入力され、
前記位相ずれ量検出手段は、前記第２の映像信号生成手段の外部から入力された初期状態の前記フィードバック信号の情報に基づいて前記位相ずれ量を検出する
請求項１に記載の表示装置。
【請求項５】
初期状態の前記フィードバック信号の情報は第２の映像信号生成手段の内部に記憶され、
前記位相ずれ量検出手段は、前記第２の映像信号生成手段の内部に記憶された初期状態の前記フィードバック信号の情報に基づいて前記位相ずれ量を検出する
請求項１に記載の表示装置。
【請求項６】
画素がマトリクス状に配列された表示部と、映像信号を生成すると共に、同映像信号の出力タイミングを任意に調整可能な第１の映像信号生成手段及び第２の映像信号生成手段とを有し、前記表示部から出力されるフィードバック信号に基づいて、前記第１の映像信号生成手段及び第２の映像信号生成手段で生成する映像信号のタイミング調整を行う表示装置を備え、該表示装置によって変調された光を用いて映像表示を行なう映像表示装置であって、
前記第１の映像信号生成手段は、制御信号に基づいて映像信号を出力する第１の映像信号出力手段を備え、
前記第２の映像信号生成手段は、制御信号に基づいて映像信号を出力する第２の映像信号出力手段と、
初期状態の前記フィードバック信号と任意のタイミングの前記フィードバック信号との位相ずれ量を検出する位相ずれ検出手段と、
該位相ずれ検出手段で検出された位相ずれ量に基づいて、タイミング調整がなされた制御信号を生成する制御信号生成手段とを備えると共に、
前記制御信号生成手段と前記第１の映像信号出力手段とを接続する配線長と、前記制御信号生成手段と前記第２の映像信号出力手段とを接続する配線長とが略等しい
映像表示装置。
【発明の詳細な説明】
【技術分野】
【０００１】
本発明は表示装置及び映像表示装置に関する。詳しくは、画素がマトリクス状に配列された表示部に対して水平方向（列方向）において複数画素ずつ並列に映像信号を書き込む方式を採る表示装置及び映像表示装置に係るものである。
【背景技術】
【０００２】
表示装置、例えば画素の表示素子として液晶セルを用いた液晶表示装置（ＬＣＤ；Ｌｉｑｕｉｄ  ｃｒｙｓｔａｌ  ｄｉｓｐｌａｙ）においては、その信号処理系としてゲートアレイのＭＯＳプロセスで構成されるデジタル信号処理ＩＣを用いるのが一般的である。このデジタル信号処理ＩＣで所定の信号処理がなされたデジタルデータは、ＬＣＤドラバに内蔵されたＤ／Ａ（デジタル／アナログ）コンバータでアナログ信号に変換された後、液晶パネル（以下、「ＬＣＤパネル」と称する）に与えられる。ＬＣＤパネルには、液晶セルを含む画素がマトリクス状に配列されている。
【０００３】
ここで、ＬＣＤパネルの書き込み速度は、入力される映像信号を１ドット（画素）ずつ順に書き込んでいけるほど早くないため、一般に、水平方向において複数画素ずつ並列に映像信号を書き込む方式が採られている。この複数画素同時書き込み方式の液晶表示装置においては、複数画素に対して並列に映像信号を書き込むべく時系列で順に入力されてくる映像信号を複数画素分の並列信号に変換する必要がある。
【０００４】
図８（ａ）に従来の液晶表示装置（１）を説明するための模式図を示すが、ここで示す液晶表示装置は、映像信号（ＤＡ）を出力するデータ処理／タイミング信号生成回路（ＤＳＤ／ＴＧ）２０１と、時系列で順に入力されてくる映像信号（ＤＡ）に並列化処理を施して映像信号（Ｖｓｉｇ）を生成するサンプル・ホールド・ドライバ（ＳＨＤ）２０２と、映像信号（Ｖｓｉｇ）の書き込みが行われるＬＣＤパネル２０３とを備えている。
【０００５】
さて、ここで示す液晶表示装置が、例えば、水平方向において６画素ずつ並列に書き込む６画素同時書き込み方式の液晶表示装置であるとすると、ＤＳＤ／ＴＧで生成されて時系列でＳＨＤに入力された映像信号（ＤＡ）は、ＳＨＤにおいて映像信号（ＤＡ）をサンプル・ホールド処理する際に並列化処理が施されて６画素分ずつ同タイミングになるように６並列の映像信号（Ｖｓｉｇ１〜Ｖｓｉｇ６）に変換される。こうして映像信号（ＤＡ）が６並列の映像信号（Ｖｓｉｇ１〜Ｖｓｉｇ６）に変換された状態でＬＣＤパネルに入力されることで６画素分の時間で６列の信号線に映像信号を並列に書き込むことができる。
【０００６】
一方、ＬＣＤパネルの内部には、６画素ずつ並列に書き込むために、信号線を６本ずつ並列に選択する信号線選択スイッチ２０４が６本の信号線単位で設けられている。そして、これら信号線選択スイッチは、ＤＳＤ／ＴＧからＬＣＤパネルに入力する制御クロック（ＤＣＫ）に基づいて生成されるドライブパルスＤＰ（書き込み信号）によって順次選択される。信号線選択スイッチが順に選択されることで、選択された信号線選択スイッチを通して６本の信号線に映像信号が並列に書き込まれることになる。
【０００７】
ＬＣＤパネル内部では、ドライブパルス（ＤＰ）及び映像信号（Ｖｓｉｇ）が、それらを伝送する信号線の抵抗分や容量分などの影響によってそれぞれ歪むことになるため、このドライブパルス（ＤＰ）と映像信号（Ｖｓｉｇ）との位相関係を調整しなければ、最適な表示画像は得られない。もし、最適な位相関係になっていない場合、本来あるべき位置に対して隣接する６画素前または後ろに映像信号が漏れ込み、二重の絵となって映し出されてしまうことになる。例えば、１本の縦線を表示する場合には、この位相関係がずれていると、本来あるべき位置から６画素前または後ろにも縦線が映し出されるゴーストと呼ばれる現象が発生することとなる。この様に、ドライブパルス（ＤＰ）と映像信号（Ｖｓｉｇ）との位相関係には、最適な映像を映し出すために満たすべき位相関係がある。なお、ドライブパルス（ＤＰ）と映像信号（Ｖｓｉｇ）との位相関係を満たすことができる範囲を便宜的にゴーストマージンと呼ぶこととする。
【０００８】
ここで、初期状態においてドライブパルス（ＤＰ）と映像信号（Ｖｓｉｇ）との位相関係をゴーストマージン内となる様に調整を行っていたとしても（図９（ａ）参照。）、温度変化や経時変化によりドライブパルス（ＤＰ）が映像信号（Ｖｓｉｇ）に対して遅延してしまい（図９（ｂ）参照。）、こうした遅延量がゴーストマージンよりも大きくなってしまうとゴーストが発生し、最適な画像が得られなくなってしまう。
【０００９】
このため、図８（ｂ）で示す様に、ＬＣＤパネルから、ドライブパルス（ＤＰ）の位相情報を示す信号ＧＣＦＢをＤＳＤ／ＴＧに出力し、ＤＳＤ／ＴＧではこのＧＣＦＢを観測してＧＣＦＢの遅延量（ＤＰの遅延量）だけＤＰを生成するためのＤＣＫの位相を前に調整してドライブパルス（ＤＰ）と映像信号（Ｖｓｉｇ）の位相関係を最適状態（ゴーストマージン内の状態）とすることによって（図９（ｃ）参照。）、ゴーストの除去を行う技術が提案されている（例えば、特許文献１参照。）。
【００１０】
ところで、近年はますます液晶表示装置の高精細化、高速駆動化が進んでおり、ＬＣＤパネルに充分な書き込みを行うために、並列に映像信号を書き込む画素数も増加させる必要がある。このことは、ＳＨＤで並列化処理が施されて同タイミングで出力される映像信号（Ｖｓｉｇ）数が増加することを意味する。そして、こうした映像信号（Ｖｓｉｇ）数の増加に対応すべく、複数のＳＨＤを備える液晶表示装置が考えられる。
【００１１】
図８（ｃ）に従来の液晶表示装置（２）を説明するための模式図を示すが、ここで示す液晶表示装置は、映像信号（ＤＡ）を出力するＤＳＤ／ＴＧ２０１と、時系列で順に入力されてくる映像信号（ＤＡ）に並列化処理を施して映像信号（Ｖｓｉｇ）を生成する第１のＳＨＤ２０２ａ，第２のＳＨＤ２０２ｂと、映像信号（Ｖｓｉｇ）の書き込みが行われるＬＣＤパネル２０３とを備えている。
【００１２】
さて、ここで示す液晶表示装置が、例えば、水平方向において１２画素ずつ並列に書き込む１２画素同時書き込み方式の液晶表示装置であるとすると、ＤＳＤ／ＴＧで生成されて時系列で第１のＳＨＤ及び第２のＳＨＤに入力された映像信号（ＤＡ）は、第１のＳＨＤにおいて映像信号（ＤＡ）をサンプル・ホールド処理する際に並列化処理が施されて６画素分ずつ同タイミングになるように６並列の映像信号（Ｖｓｉｇ１、Ｖｓｉｇ３、Ｖｓｉｇ５、Ｖｓｉｇ７、Ｖｉｇ９、Ｖｓｉｇ１１）に変換されると共に、第２のＳＨＤにおいて映像信号（ＤＡ）をサンプル・ホールド処理する際に並列化処理が施されて６画素分ずつ同タイミングになるように６並列の映像信号（Ｖｓｉｇ２、Ｖｓｉｇ４、Ｖｓｉｇ６、Ｖｓｉｇ８、Ｖｓｉｇ１０、Ｖｓｉｇ１２）に変換される。こうして映像信号（ＤＡ）が１２並列の映像信号（Ｖｓｉｇ１〜Ｖｓｉｇ１２）に変換された状態でＬＣＤパネルに入力されることで１２画素分の時間で１２列の信号線に映像信号を並列に書き込むことができる。
【００１３】
【特許文献１】特開２００５−１４８５５７号公報
【発明の開示】
【発明が解決しようとする課題】
【００１４】
しかしながら、複数のＳＨＤを備える液晶表示装置では、ドライブパルス（ＤＰ）と映像信号（Ｖｓｉｇ）との位相関係の調整が問題となる。
即ち、単一のＳＨＤを備える液晶表示装置の場合には、温度変化や経時変化によりドライブパルス（ＤＰ）が映像信号（Ｖｓｉｇ）に対して遅延したとしても、ＬＣＤパネルから、ドライブパルス（ＤＰ）の位相情報を示すＧＣＦＢをＤＳＤ／ＴＧに出力し、ＤＳＤ／ＴＧでＧＣＦＢの遅延量（ＤＰの遅延量）だけドライブパルス（ＤＰ）を生成するためのＤＣＫの位相を前に調整することでドライブパルス（ＤＰ）と映像信号（Ｖｓｉｇ）との位相関係を最適状態とすることができるものの、複数のＳＨＤ（第１のＳＨＤ及び第２のＳＨＤ）を備える液晶表示装置の場合には、ドライブパルス（ＤＰ）を生成するためのＤＣＫの位相を前に調整してドライブパルス（ＤＰ）と一方のＳＨＤ（例えば、第１のＳＨＤ）で生成された映像信号（Ｖｓｉｇ）との位相関係の調整を行うことでドライブパルス（ＤＰ）と一方のＳＨＤ（例えば、第１のＳＨＤ）で生成された映像信号（Ｖｓｉｇ）との位相関係を最適状態としたとしても、ドライブパルス（ＤＰ）と他方のＳＨＤ（例えば、第２のＳＨＤ）で生成された映像信号（Ｖｓｉｇ）との位相関係が最適状態となっているとは言えない。
つまり、ドライブパルス（ＤＰ）と映像信号（Ｖｓｉｇ）の位相関係を最適状態にする必要があると共に、それぞれのＳＨＤで生成される映像信号（Ｖｓｉｇ）の位相を同位相とする必要がある。
【００１５】
本発明は以上の点に鑑みて創案されたものであって、複数のＳＨＤを備える表示装置において、温度変化や経時変化による位相関係のずれを自動的に修復して常に最適な表示画像を得ることが可能な表示装置及び映像表示装置を提供することを目的とする。
【課題を解決するための手段】
【００１６】
上記の目的を達成するために、本発明の表示装置は、画素がマトリクス状に配列された表示部と、映像信号を生成すると共に、同映像信号の出力タイミングを任意に調整可能な第１の映像信号生成手段及び第２の映像信号生成手段とを有し、前記表示部から出力されるフィードバック信号に基づいて、前記第１の映像信号生成手段及び第２の映像信号生成手段で生成する映像信号のタイミング調整を行う表示装置であって、前記第１の映像信号生成手段は、制御信号に基づいて映像信号を出力する第１の映像信号出力手段を備え、前記第２の映像信号生成手段は、制御信号に基づいて映像信号を出力する第２の映像信号出力手段と、初期状態の前記フィードバック信号と任意のタイミングの前記フィードバック信号との位相ずれ量を検出する位相ずれ検出手段と、該位相ずれ検出手段で検出された位相ずれ量に基づいて、タイミング調整がなされた制御信号を生成する制御信号生成手段とを備えると共に、前記制御信号生成手段と前記第１の映像信号出力手段とを接続する配線長と、前記制御信号生成手段と前記第２の映像信号出力手段とを接続する配線長とが略等しい。
【００１７】
また、上記の目的を達成するために、本発明の映像表示装置は、画素がマトリクス状に配列された表示部と、映像信号を生成すると共に、同映像信号の出力タイミングを任意に調整可能な第１の映像信号生成手段及び第２の映像信号生成手段とを有し、前記表示部から出力されるフィードバック信号に基づいて、前記第１の映像信号生成手段及び第２の映像信号生成手段で生成する映像信号のタイミング調整を行う表示装置を備え、該表示装置によって変調された光を用いて映像表示を行なう映像表示装置であって、前記第１の映像信号生成手段は、制御信号に基づいて映像信号を出力する第１の映像信号出力手段を備え、前記第２の映像信号生成手段は、制御信号に基づいて映像信号を出力する第２の映像信号出力手段と、初期状態の前記フィードバック信号と任意のタイミングの前記フィードバック信号との位相ずれ量を検出する位相ずれ検出手段と、該位相ずれ検出手段で検出された位相ずれ量に基づいて、タイミング調整がなされた制御信号を生成する制御信号生成手段とを備えると共に、前記制御信号生成手段と前記第１の映像信号出力手段とを接続する配線長と、前記制御信号生成手段と前記第２の映像信号出力手段とを接続する配線長とが略等しい。
【００１８】
ここで、制御信号生成手段と第１の映像信号出力手段とを接続する配線長と、制御信号生成手段と第２の映像信号出力手段とを接続する配線長とが略等しいために、位相ずれ検出手段で検出した初期状態のフィードバック信号と任意のタイミングのフィードバック信号との位相ずれ量に基づいて、制御信号生成手段が生成したタイミング調整がなされた制御信号は、位相ずれを生じることなく第１の映像信号生成手段及び第２の映像信号生成手段に入力されることとなる。このことは、第１の映像信号生成手段が出力する映像信号と第２の映像信号生成手段が出力する映像信号との間に位相ずれがないことを意味する。
【発明の効果】
【００１９】
本発明の表示装置及び映像表示装置では、映像信号と書き込み信号との位相関係のずれを自動的に修復することができるため、温度変化や経時変化の影響を受けることなく常に最適な表示画像を得ることができる。
【発明を実施するための最良の形態】
【００２０】
以下、本発明の実施の形態について図面を参照しながら説明し、本発明の理解に供する。なお、以下では水平方向において１２画素ずつ並列に書き込む１２画素同時書き込み方式の液晶表示装置について説明を行う。
【００２１】
図１は本発明を適用した表示装置の一例である液晶表示装置の構成を説明するための模式図であり、ここで示す液晶表示装置は、上記した従来の液晶表示装置（２）と同様に、映像信号（ＤＡ）を出力するＤＳＤ／ＴＧ１と、時系列順に入力されてくる映像信号（ＤＡ）に並列化処理を施して映像信号（Ｖｓｉｇ）を生成する第１のＳＨＤ２ａ，第２のＳＨＤ２ｂと、映像信号（Ｖｓｉｇ）の書き込みが行なわれるＬＣＤパネル３とを備えている。
【００２２】
また、ＤＳＤ／ＴＧで生成されて時系列で第１のＳＨＤに入力された映像信号（ＤＡ）は、第１のＳＨＤにおいて映像信号（ＤＡ）をサンプル・ホールド処理する際に並列化処理が施されて６画素分ずつ同タイミングになるように６並列の映像信号（Ｖｓｉｇ１、Ｖｓｉｇ３、Ｖｓｉｇ５、Ｖｓｉｇ７、Ｖｉｇ９、Ｖｓｉｇ１１）に変換されると共に、第２のＳＨＤにおいて映像信号（ＤＡ）をサンプル・ホールド処理する際に並列化処理が施されて６画素分ずつ同タイミングになるように６並列の映像信号（Ｖｓｉｇ２、Ｖｓｉｇ４、Ｖｓｉｇ６、Ｖｓｉｇ８、Ｖｓｉｇ１０、Ｖｓｉｇ１２）に変換される。こうして映像信号（ＤＡ）が１２並列の映像信号（Ｖｓｉｇ１〜Ｖｓｉｇ１２）に変換された状態でＬＣＤパネルに入力されることで１２画素分の時間で１２列の信号線に映像信号を並列に書き込むことができる。
【００２３】
更に、並列化処理に用いられるサンプル／ホールドパルスは、水平同期信号に同期したタイミング信号として生成される。また、１２並列化された映像信号を伝送する信号線は、物理的にＬＣＤパネルに配線として接続されている。このため上記タイミング信号及びＬＣＤパネルへの表示開始タイミング信号により、映像の開始位置は一意的に定まることになる。
【００２４】
また、ＬＣＤパネルの内部は、１２画素ずつ並列に書き込むために、信号線を１２本ずつ並列に選択する信号線選択スイッチ４が１２本の信号線単位で設けられている。そして、これら信号線選択スイッチは、ＤＳＤ／ＴＧからＬＣＤパネルに入力する制御クロック（ＤＣＫ）に基づいて生成されるドライブパルスＤＰ（書き込み信号）によって順次選択される。信号線選択スイッチが順に選択されることで、選択された信号線選択スイッチを通して１２本の信号線に映像信号が並列に書き込まれることになる。
【００２５】
また、ＬＣＤパネルのドライブパルス（ＤＰ）の位相情報を示すＧＣＦＢを第１のＳＨＤに入力している。更に、ＧＣＦＢを入力している第１のＳＨＤから映像信号（Ｖｓｉｇ）の出力タイミングを規定している制御信号（ＳＨＴ）を出力し、この制御信号を第１のＳＨＤ及び第２のＳＨＤに入力している。
【００２６】
なお、本実施例では、２個のＳＨＤ（第１のＳＨＤ及び第２のＳＨＤ）を用いてＬＣＤパネルを駆動する場合を例に挙げて説明を行っているが、必ずしもＳＨＤの数は２個に限定されるものではなく、例えば４個のＳＨＤ（第１のＳＨＤ、第２のＳＨＤ、第３のＳＨＤ及び第４のＳＨＤ）を用いてＬＣＤパネルを駆動しても良く、その場合には例えば、ＧＣＦＢを第１のＳＨＤに入力し、第１のＳＨＤからＳＨＴを出力し、このＳＨＴを第１のＳＨＤ、第２のＳＨＤ、第３のＳＨＤ及び第４のＳＨＤに入力する。
【００２７】
図２は第１のＳＨＤ及び第２のＳＨＤの内部構成を説明するための模式図であり、以下、図２を参照して第１のＳＨＤ及び第２のＳＨＤの基本動作について説明を行う。
先ず、第１のＳＨＤ及び第２のＳＨＤに入力された映像信号ＤＡ［１１：０］はサンプル・ホールド回路１にて、各ＳＨＤでそれぞれ６並列のデータに展開（６相展開）される。この６相展開されたデータはサンプル・ホールド回路２に転送され、制御信号ＳＨＴをタイミング信号としてＤＡＣに出力され、交流化された後に映像信号（Ｖｓｉｇ）としてＬＣＤパネルに出力される。
【００２８】
次に、映像信号（Ｖｓｉｇ）出力の位相調整については、ＬＣＤパネルよりＧＣＦＢが第１のＳＨＤに入力されると、第１のＳＨＤでは、液晶表示装置の組立て後のゴーストのない状態でのＲＥＳＥＴに対するＧＣＦＢの相対位置を位相比較回路１にて観測し、その位相差を初期状態での位置情報として初期位置記憶回路に記憶する（図３（ａ）参照。）。
【００２９】
ここで、温度変化や経時変化によりドライブパルス（ＤＰ）の遅延が発生した場合には、ドライブパルス（ＤＰ）と映像信号（Ｖｓｉｇ）との位相関係が、初期状態の最適値からずれてしまい、この位相差がゴーストマージンを超えてしまうとゴーストが発生してしまうこととなるために、ＲＥＳＥＴに対する現在のＧＣＦＢの相対位置を位相比較回路１にて観測し、初期のＧＣＦＢの位置情報と遅延後のＧＣＦＢの位置情報を位相比較回路２で比較し、その位相差情報を遅延回路に転送する（図３（ｂ）参照。）。
【００３０】
遅延回路では、位相比較回路２で求めた位相差分だけ初期の制御信号（ＳＨＴ＿ＩＮＩ）に対して制御信号を遅延させ、この遅延した制御信号を第１のＳＨＤ及び第２のＳＨＤのそれぞれのサンプル・ホールド回路２に入力することにより、第１のＳＨＤで生成される映像信号（Ｖｓｉｇ）及び第２のＳＨＤで生成される映像信号（Ｖｓｉｇ）とドライブパルス（ＤＰ）の位相関係を初期状態の最適値に戻すことができる（図３（ｃ）参照。）。
【００３１】
なお、第１のＳＨＤの遅延回路から第１のＳＨＤにおけるサンプル・ホールド回路までの配線長さと、第１のＳＨＤの遅延回路から第２のＳＨＤにおけるサンプル・ホールド回路までの配線長さは等しく形成されており、遅延回路で遅延された制御信号は第１のＳＨＤのサンプル・ホールド回路と第２のＳＨＤのサンプル・ホールド回路には位相ずれが生じることなく伝えられる。
【００３２】
上記した本発明を適用した表示装置の一例では、第１のＳＨＤ及び第２のＳＨＤからの映像信号（Ｖｓｉｇ）の出力位相を、温度変化や経時変化により起こるＬＣＤパネルのドライブパルス（ＤＰ）の遅延量に対応するだけ遅延させることができるために、ゴーストを除去することができる。
【００３３】
また、映像信号（Ｖｓｉｇ）の出力タイミングを規定している制御信号を第１のＳＨＤと第２のＳＨＤで共通としており、第１のＳＨＤと第２のＳＨＤの間の映像信号（Ｖｓｉｇ）出力位相誤差を低減できるため、結果として、ゴーストマージンの少ないＬＣＤパネルのゴーストの除去も可能となる。
【００３４】
更に、ゴースト除去のシステムが第１のＳＨＤや第２のＳＨＤ内のみで実現可能であるために、従来のＤＳＤ／ＴＧを使ったゴースト除去のように、ＬＣＤパネルに対して第１のＳＨＤ及び第２のＳＨＤよりも物理的に遠い位置にあるＤＳＤ／ＴＧにＧＣＦＢを伝送する必要がなく、ＬＣＤパネルのドライブパルス（ＤＰ）の位置情報を高品質に伝送できるため、ノイズによる誤動作の抑制効果や高精度な位相調整が可能である。
【００３５】
図４は本発明を適用した表示装置の他の一例である液晶表示装置の構成を説明するための模式図であり、ここで示す液晶表示装置は、上記した液晶表示装置と同様に、映像信号（ＤＡ）を出力するＤＳＤ／ＴＧ１と、時系列順に入力されてくる映像信号（ＤＡ）に並列化処理を施して映像信号（Ｖｓｉｇ）を生成する第１のＳＨＤ２ａ，第２のＳＨＤ２ｂと、映像信号（Ｖｓｉｇ）の書き込みが行なわれるＬＣＤパネル３とを備えている。
【００３６】
また、ＤＳＤ／ＴＧで生成されて時系列で第１のＳＨＤに入力された映像信号（ＤＡ）は、第１のＳＨＤにおいて映像信号（ＤＡ）をサンプル・ホールド処理する際に並列化処理が施されて６画素分ずつ同タイミングになるように６並列の映像信号（Ｖｓｉｇ１、Ｖｓｉｇ３、Ｖｓｉｇ５、Ｖｓｉｇ７、Ｖｉｇ９、Ｖｓｉｇ１１）に変換されると共に、第２のＳＨＤにおいて映像信号（ＤＡ）をサンプル・ホールド処理する際に並列化処理が施されて６画素分ずつ同タイミングになるように６並列の映像信号（Ｖｓｉｇ２、Ｖｓｉｇ４、Ｖｓｉｇ６、Ｖｓｉｇ８、Ｖｓｉｇ１０、Ｖｓｉｇ１２）に変換される。こうして映像信号（ＤＡ）が１２並列の映像信号（Ｖｓｉｇ１〜Ｖｓｉｇ１２）に変換された状態でＬＣＤパネルに入力されることで１２画素分の時間で１２列の信号線に映像信号を並列に書き込むことができる。
【００３７】
更に、並列化処理に用いられるサンプル／ホールドパルスは、水平同期信号に同期したタイミング信号として生成される。また、１２並列化された映像信号を伝送する信号線は、物理的にＬＣＤパネルに配線として接続されている。このため上記タイミング信号及びＬＣＤパネルへの表示開始タイミング信号により、映像の開始位置は一意的に定まることになる。
【００３８】
また、ＬＣＤパネルの内部は、１２画素ずつ並列に書き込むために、信号線を１２本ずつ並列に選択する信号線選択スイッチ４が１２本の信号線単位で設けられている。そして、これら信号線選択スイッチは、ＤＳＤ／ＴＧからＬＣＤパネルに入力する制御クロック（ＤＣＫ）に基づいて生成されるドライブパルスＤＰ（書き込み信号）によって順次選択される。信号線選択スイッチが順に選択されることで、選択された信号線選択スイッチを通して１２本の信号線に映像信号が並列に書き込まれることになる。
【００３９】
また、ＬＣＤパネルのドライブパルス（ＤＰ）の位相情報を示すＧＣＦＢの初期位置をＤＳＤ／ＴＧはＧＣＦＢ＿ＩＮＩとして記憶し、ＧＣＦＢの初期位置を示す信号ＧＣＦＢ＿ＩＮＩはＤＳＤ／ＴＧから第１のＳＨＤに出力される。また、第１のＳＨＤはＬＣＤパネルからＧＣＦＢを入力する。更に、ＧＣＦＢを入力している第１のＳＨＤから映像信号（Ｖｓｉｇ）の出力タイミングを規定している制御信号（ＳＨＴ）を出力し、この制御信号を第１のＳＨＤ及び第２のＳＨＤに入力している。
【００４０】
なお、本実施例では、２個のＳＨＤ（第１のＳＨＤ及び第２のＳＨＤ）を用いてＬＣＤパネルを駆動する場合を例に挙げて説明を行っているが、必ずしもＳＨＤの数は２個に限定されるものではなく、例えば４個のＳＨＤ（第１のＳＨＤ、第２のＳＨＤ、第３のＳＨＤ及び第４のＳＨＤ）を用いてＬＣＤパネルを駆動しても良く、その場合には例えば、ＧＣＦＢを第１のＳＨＤに入力し、第１のＳＨＤからＳＨＴを出力し、このＳＨＴを第１のＳＨＤ、第２のＳＨＤ、第３のＳＨＤ及び第４のＳＨＤに入力する。
【００４１】
図５は第１のＳＨＤ及び第２のＳＨＤの内部構成を説明するための模式図であり、以下、図５を参照して第１のＳＨＤ及び第２のＳＨＤの基本動作について説明を行う。
先ず、第１のＳＨＤ及び第２のＳＨＤに入力された映像信号ＤＡ［１１：０］はサンプル・ホールド回路１にて、各ＳＨＤでそれぞれ６並列のデータに展開（６相展開）される。この６相展開されたデータはサンプル・ホールド回路２に転送され、制御信号ＳＨＴをタイミング信号としてＤＡＣに出力され、交流化された後に映像信号（Ｖｓｉｇ）としてＬＣＤパネルに出力される。
【００４２】
次に、映像信号（Ｖｓｉｇ）出力の位相調整については、ＬＣＤパネルよりＧＣＦＢをＤＳＤ／ＴＧに入力すると、ＤＳＤ／ＴＧでは液晶表示装置の組立て後のゴーストのない状態でのＤＳＤ／ＴＧ内の基準信号に対するＧＣＦＢの相対位置を記憶しておく（図６（ａ）参照。）。この情報により、ＧＣＦＢの初期位置を示す信号ＧＣＦＢ＿ＩＮＩをＤＳＤ／ＴＧから第１のＳＨＤに入力する。
【００４３】
ここで、温度変化や経時変化によりドライブパルス（ＤＰ）の遅延が発生した場合には、ドライブパルス（ＤＰ）と映像信号（Ｖｓｉｇ）との位相関係が、初期状態の最適値からずれてしまい、この位相差がゴーストマージンを超えてしまうとゴーストが発生してしまうこととなるため、ＤＳＤ／ＴＧから入力したＧＣＦＢ＿ＩＮＩとＬＣＤパネルから入力しているＧＣＦＢの位置情報を第１のＳＨＤの位相比較回路で比較し、その位相差情報を遅延回路に転送する（図６（ｂ）参照。）。
【００４４】
遅延回路では、第１のＳＨＤの位相比較回路で求めた位相差分だけ、初期の制御信号（ＳＨＴ＿ＩＮＩ）に対して制御信号を遅延させ、この遅延した制御信号を第１のＳＨＤ及び第２のＳＨＤのそれぞれのサンプル・ホールド回路２に入力することにより、第１のＳＨＤで生成される映像信号（Ｖｓｉｇ）及び第２のＳＨＤで生成される映像信号（Ｖｓｉｇ）とドライブパルス（ＤＰ）の位相関係を初期状態の最適値に戻すことができる（図６（ｃ）参照。）。
【００４５】
なお、第１のＳＨＤの遅延回路から第１のＳＨＤにおけるサンプル・ホールド回路までの配線長さと、第１のＳＨＤの遅延回路から第２のＳＨＤにおけるサンプル・ホールド回路までの配線長さは等しく形成されており、遅延回路で遅延された制御信号は第１のＳＨＤのサンプル・ホールド回路と第２のＳＨＤのサンプル・ホールド回路には位相ずれが生じることなく伝えられる。
【００４６】
上記した本発明を適用した表示装置の他の一例では、第１のＳＨＤ及び第２のＳＨＤからの映像信号（Ｖｓｉｇ）の出力位相を、温度変化や経時変化により起こるＬＣＤパネルのドライブパルス（ＤＰ）の遅延量に対応するだけ遅延させることができるために、ゴーストを除去することができる。
【００４７】
また、映像信号（Ｖｓｉｇ）の出力タイミングを規定している制御信号を第１のＳＨＤと第２のＳＨＤで共通としており、第１のＳＨＤと第２のＳＨＤの間の映像信号（Ｖｓｉｇ）出力位相誤差を低減できるため、結果として、ゴーストマージンの少ないＬＣＤパネルのゴースト除去も可能となる。
【００４８】
更に、初期位置を示すＧＣＦＢ＿ＩＮＩはＤＳＤ／ＴＧより入力するため、初期位置の取得に使用する位相比較回路と初期位置記憶回路をＳＨＤに新たに設ける必要がないため、ＳＨＤの小型化が可能となり、コスト低減効果が期待できる。
【００４９】
図７は本発明を適用した映像表示装置の一例である液晶プロジェクタを説明するための模式図であり、ここで示す液晶プロジェクタ１００は、いわゆる３板方式として赤、緑、青の３原色に対応した３つのライトバルブに図１に示す液晶表示装置を使用し、スクリーン上に拡大投影されたカラー映像を表示する投射型の映像表示装置である。
【００５０】
具体的に、この反射型液晶プロジェクタは、照明光を出射する光源であるランプ１０１と、ランプからの照明光を赤色光（Ｒ），緑色光（Ｇ），青色光（Ｂ）に分離する分離光学手段であるダイクロイック色分離フィルタ１０２及びダイクロイックミラー１０３と、分離された赤色光（Ｒ），緑色光（Ｇ），青色光（Ｂ）をそれぞれ変調して反射する光変調手段であるＲライトバルブ１０４Ｒ，Ｇライトバルブ１０４Ｇ及びＢライトバルブ１０４Ｂと、変調された赤色光（Ｒ），緑色光（Ｇ），青色光（Ｂ）を合成する合成光学手段である合成プリズム１０５と、合成された照明光をスクリーンに投射する投射手段である投射レンズ１０６とを備えている。
【００５１】
ここで、ランプは、赤色光（Ｒ）、緑色光（Ｇ）及び青色光（Ｂ）を含む白色光を照射するものであり、例えばハロゲンランプや、メタルハロゲンランプ、キセノンランプ等からなる。
【００５２】
また、ランプとダイクロイック色分離フィルタとの間の光路中には、ランプから出射された照明光の照度分布を均一化するフライアイレンズ１０７や、照明光のＰ，Ｓ偏光成分を一方の偏光成分（例えばＳ偏光成分）に変換する偏光変換素子１０８、照明光を集光させるコンデンサレンズ１０９等が配置されている。
【００５３】
ダイクロイック色分離フィルタは、ランプから照射された白色光を青色光（Ｂ）とその他の色光（Ｒ，Ｇ）とに分離する機能を有し、分離された青色光（Ｂ）とその他の色光（Ｒ，Ｇ）とを互いに逆向きに反射させる様に構成されている。
【００５４】
また、ダイクロイック色分離フィルタとＢライトバルブとの間には、分離された青色光（Ｂ）をＢライトバルブに向けて反射させる全反射ミラー１１０が配置され、ダイクロイック色分離フィルタとダイクロイックミラーとの間には、分離されたその他の色光（Ｒ，Ｇ）をダイクロイックミラーに向けて反射させる全反射ミラー１１１が配置されている。
【００５５】
ダイクロイックミラーは、その他の色光（Ｒ，Ｇ）を赤色光（Ｒ）と緑色光（Ｇ）とに分離する機能を有し、分離された赤色光（Ｒ）をＲライトバルブに向かって透過させ、分離された緑色光（Ｇ）をＧライトバルブに向かって反射させる。
【００５６】
また、各ライトバルブ１０４Ｒ，１０４Ｇ，１０４Ｂと合成プリズムとの間には、それぞれ分離された各色光Ｒ，Ｇ，Ｂを各ライトバルブに導くＲ，Ｇ，Ｂ偏光ビームスプリッタ１１２Ｒ，１１２Ｇ，１１２Ｂが配置されている。これらＲ，Ｇ，Ｂ偏光ビームスプリッタは、入射した各色光Ｒ，Ｇ，ＢをＰ偏光成分とＳ偏光成分とに分離する機能を有し、一方の偏光成分（例えばＳ偏光成分）をＲ，Ｇ，Ｂライトバルブに向かって反射させ、他方の偏光成分（例えばＰ偏光成分）を合成プリズムに向かって透過させる。
【００５７】
Ｒ，Ｇ，Ｂライトバルブは、上記した液晶表示装置からなり、各偏光ビームスプリッタによって導かれた一方の偏光成分（例えばＳ偏光成分）の光を映像信号に応じて偏光変調させながら、その偏光変調された光を各偏光ビームスプリッタに向かって反射させる。
【００５８】
合成プリズムは、いわゆるクロスキューブプリズムであり、各偏光ビームスプリッタを通過した他方の偏光成分（例えばＰ偏光成分）の各色光Ｒ，Ｇ，Ｂを合成する機能を有し、合成された光を投射レンズに向かって出射する。
【００５９】
投射レンズは、合成プリズムからの光をスクリーンに向かって拡大投影する機能を有している。
【００６０】
以上の様に構成される液晶プロジェクタでは、ランプから出射された白色光がダイクロイック色分離フィルタ及びダイクロイックミラーによって赤色光（Ｒ），緑色光（Ｇ），青色光（Ｂ）に分離される。これら分離された赤色光（Ｒ），緑色光（Ｇ），青色光（Ｂ）は、Ｓ偏光成分の光であり、各偏光ビームスプリッタを通って各ライトバルブへと入射される。各ライトバルブに入射された赤色光（Ｒ），緑色光（Ｇ），青色光（Ｂ）は、各ライトバルブの各画素に印加される駆動電圧に応じて偏光変調された後、各偏光ビームスプリッタに向かって反射される。そして、これら変調された赤色光（Ｒ），緑色光（Ｇ），青色光（Ｂ）は、Ｐ偏光成分の光のみが各偏光ビームスプリッタを透過し、合成プリズムによって合成され、この合成された光が投射レンズによってスクリーン上に拡大投射される。
【００６１】
以上の様にして、この液晶プロジェクタでは、ライトバルブによって変調された光に応じた映像をスクリーン上に拡大投影することでカラー映像表示を行なう。
【００６２】
ところで、各ライトバルブを構成する液晶表示装置は、上述した様に、ゴーストを除去することが可能であることから、ここで示す液晶プロジェクタにおいてもゴーストの除去が可能であり、温度変化や経時変化の影響を受けることなく常に最適な表示画像を得ることができる。
【００６３】
なお、本実施例では液晶プロジェクタのようにスクリーンに投射する投射型の画像表示装置を例に挙げて説明を行ったが、本発明は液晶表示装置を直接見るような直視型の画像表示装置にも広く適用可能である。
【図面の簡単な説明】
【００６４】
【図１】本発明を適用した表示装置の一例である液晶表示装置の構成を説明するための模式図である。
【図２】本発明を適用した表示装置の一例である液晶表示装置における第１のＳＨＤ及び第２のＳＨＤの内部構成を説明するための模式図である。
【図３】本発明を適用した表示装置の一例である液晶表示装置におけるドライブパルス（ＤＰ）と映像信号（Ｖｓｉｇ）との位相調整を説明するための図である。
【図４】本発明を適用した表示装置の他の一例である液晶表示装置の構成を説明するための模式図である。
【図５】本発明を適用した表示装置の他の一例である液晶表示装置における第１のＳＨＤ及び第２のＳＨＤの内部構成を説明するための模式図である。
【図６】本発明を適用した表示装置の他の一例である液晶表示装置におけるドライブパルス（ＤＰ）と映像信号（Ｖｓｉｇ）との位相調整を説明するための図である。
【図７】本発明を適用した映像表示装置の一例である液晶プロジェクタを説明するための模式図である。
【図８（ａ）】従来の液晶表示装置（１）を説明するための模式図（１）である。
【図８（ｂ）】従来の液晶表示装置（１）を説明するための模式図（２）である。
【図８（ｃ）】従来の液晶表示装置（２）を説明するための模式図である。
【図９】従来の液晶表示装置におけるドライブパルス（ＤＰ）と映像信号（Ｖｓｉｇ）との位相調整を説明するための図である。
【符号の説明】
【００６５】
１    ＤＳＤ／ＴＧ
２ａ  第１のＳＨＤ
２ｂ  第２のＳＨＤ
３    ＬＣＤパネル
４    信号線選択スイッチ
１００    液晶プロジェクタ
１０１    ランプ
１０２    ダイクロイック色分離フィルタ
１０３    ダイクロイックミラー
１０４    ライトバルブ
１０５    合成プリズム
１０６    投射レンズ
１０７    フライアイレンズ
１０８    偏光変換素子
１０９    コンデンサレンズ
１１０、１１１    全反射ミラー
１１２    偏光ビームスプリッタ
【図１】
2007279171.tif 000003
【図２】
2007279171.tif 000004
【図３】
2007279171.tif 000005
【図４】
2007279171.tif 000006
【図５】
2007279171.tif 000007
【図６】
2007279171.tif 000008
【図７】
2007279171.tif 000009
【図８（ａ）】
2007279171.tif 000010
【図８（ｂ）】
2007279171.tif 000011
【図８（ｃ）】
2007279171.tif 000012
【図９】
2007279171.tif 000013